(57)【要約】【課題】燃焼ガスの流路切り替えによる温度差で、熱膨張と収縮の相違で発生する異音を防止した熱交換器を提供する。【解決手段】バーナ部１の燃焼で発生した燃焼ガスが流入する第１集合部１４と、該第１集合部１４に一端を連通し前記燃焼ガスが内方を流通する複数本の熱交パイプ１６と、該熱交パイプ１６の他端が連通する第２集合部１５と、該第２集合部１５内で熱交パイプ１６からの燃焼ガスを集めて第１排気路１７へ案内する捕集手段１８とを備え、更に第２集合部１５には熱交パイプ１６を通過せず捕集手段１８外周を通り補助熱交換器２８に連通する第２排気路２７に燃焼ガスを流通させるバイパス路２５を構成したもので、前記第２集合部１５は熱交パイプ１６端部を固定した熱交側板２０と、第１排気路１７及び第２排気路２７が固定した排気側板２１とを、間に捕集手段１８を挟持して連結したことで、異音の発生を確実に防止し、常に安心して使用出来る。【選択図】  図１
2005265334.tif 000002
【特許請求の範囲】
【請求項１】
バーナ部の燃焼で発生した燃焼ガスが流入する第１集合部と、該第１集合部に一端を連通し前記燃焼ガスが内方を流通する複数本の熱交パイプと、該熱交パイプの他端が連通する第２集合部と、該第２集合部内で熱交パイプからの燃焼ガスを集めて第１排気路へ案内する捕集手段とを備え、更に第２集合部には熱交パイプを通過せず捕集手段外周を通り補助熱交換器に連通する第２排気路に燃焼ガスを流通させるバイパス路を構成したものに於いて、前記第２集合部は熱交パイプ端部を固定した熱交側板と、第１排気路及び第２排気路が固定した排気側板とを、間に捕集手段を挟持して連結した事を特徴とする熱交換器。
【請求項２】
前記捕集手段は、熱交側板に当接する一端の全周にフランジ部を形成すると共に、排気側板に当接する他端には円筒状の接続筒を備えた事を特徴とする請求項１記載の熱交換器。
【発明の詳細な説明】
【技術分野】
【０００１】
この発明は温風暖房と温水式の床暖房とを切り替えて行うことが出来る床暖内蔵温風暖房器等の熱交換器に関するものである。
【背景技術】
【０００２】
従来よりこの種のものでは、熱交パイプを燃焼ガスが通過する温風暖房と、熱交パイプを通過せずにバイパス通路を燃焼ガスが通る床暖房とをダンパー等で切り替えており、第２集合部内の捕集手段で２つの通路を仕切り、温風暖房と床暖房とを必要に応じて選択して使用出来るようにしたものであった。（例えば、特許文献１参照。）
【特許文献１】特開２００３−４３０６号公報
【発明の開示】
【発明が解決しようとする課題】
【０００３】
ところでこの従来のものでは、捕集手段を第２集合部にスポット溶接で固着しているので、熱交パイプを燃焼ガスが通過する温風暖房時と、熱交パイプを通過せずにバイパス通路を燃焼ガスが通る床暖房時とをダンパー等で切り替えた時に、捕集手段と第２集合部との温度差による熱膨張と収縮の相違により、「カン、カン」と言う大きな音が発生する問題点を有するものであった。
【課題を解決するための手段】
【０００４】
この発明はこの点に着目し上記問題点を解決する為、請求項１では、バーナ部の燃焼で発生した燃焼ガスが流入する第１集合部と、該第１集合部に一端を連通し前記燃焼ガスが内方を流通する複数本の熱交パイプと、該熱交パイプの他端が連通する第２集合部と、該第２集合部内で熱交パイプからの燃焼ガスを集めて第１排気路へ案内する捕集手段とを備え、更に第２集合部には熱交パイプを通過せず捕集手段外周を通り補助熱交換器に連通する第２排気路に燃焼ガスを流通させるバイパス路を構成したものに於いて、前記第２集合部は熱交パイプ端部を固定した熱交側板と、第１排気路及び第２排気路が固定した排気側板とを、間に捕集手段を挟持して連結したものである。
【０００５】
又請求項２では、前記捕集手段は、熱交側板に当接する一端の全周にフランジ部を形成すると共に、排気側板に当接する他端には円筒状の接続筒を備えたものである。
【発明の効果】
【０００６】
この請求項１の発明によれば、捕集手段が第２集合部を構成する２つの側板に挟持して取り付けられるので、溶接部分がなくなり、捕集手段と第２集合部とで温度差があり、熱膨張と収縮とが繰り返されても、「カン、カン」と言う騒音を発生させることがなく、安心して使用出来るものである。
【０００７】
又請求項２によれば、捕集手段の熱交側板側はフランジ部の形成で、強固であり熱変形も防止され、密着することにより燃焼ガスの漏れも阻止されるものであり、更に他端側は円筒状で強固に形成されて、ここでの漏れも確実に防止するので、漏れの心配がなく、常に安心して使用出来るものである。
【発明を実施するための最良の形態】
【０００８】
次にこの発明に係る熱交換器を使用した床暖房内蔵温風暖房器を図面に示された一実施形態に基づいて説明する。
１はポット式等のバーナ部で、燃焼ファン２からの燃焼空気の供給及び、燃料供給手段（図示せず）による燃料の供給を受けて、燃焼して燃焼ガスを発生するものである。
【０００９】
３はバーナ部１上に位置し、該バーナ部１と連通した耐熱透明体から成る燃焼筒で、上方には筒状の赤熱体４が垂下して備えられ燃焼ガスで加熱されて赤熱する。
５は燃焼筒３の後方を反射板６で囲んで形成した輻射室で、赤熱体４の赤熱状態を室内に反射させて輻射暖房も行うものである。
【００１０】
７は燃焼筒３と連通口８を介して連通した分岐室で、一側のみに開口９を有する案内板１０で連通口８を覆うと共に、上面の左右両端にはそれぞれ長穴の第１、第２流出口１１、１２を備えている。
【００１１】
１３は前記分岐室７上に備えられた熱交換器で、第１流出口１１と連通する第１集合部１４と、第２流出口１２と連通した第２集合部１５と、前記第１集合部１４と第２集合部１５間を結ぶ複数本の熱交パイプ１６とから構成され、更に第２集合部１５内には熱交パイプ１６からの燃焼ガスを集めて第１排気路１７に案内する捕集手段１８が備えられており、燃焼ガスを流通させ上方のクロスフローファンから成る対流ファン１９からの送風を当てることで、熱交換で加熱され室内に放出して温風暖房を行うものである。
【００１２】
前記第２集合部１５は、熱交パイプ１６の端部が固定された熱交側板２０と、第１排気路１７のパイプ端が固定された排気側板２１とを、間に捕集手段１８を挟持してカシメ固定するもので、更に捕集手段１８の熱交側板２０と当接する一端の全周には、外周側に折り返されたフランジ部２２が形成されて、強度と密着性を向上させてあり、又捕集手段１８の排気側板２１に当接する他端には円筒状の接続筒２３を備えて、筒形状による強度の向上を図っているものであり、この接続筒２３の隣接平坦部には太い幅のビード２４が形成され強度を保持している。
更に捕集手段１８の両端部には、高温耐久用潤滑剤が塗布されて、メタルタッチ部分のこすれ音を防止している。
【００１３】
又第２流出口１２と第２集合部１５は、燃焼ガスを熱交パイプ１６を流通させずにバイパスするバイパス路２５を形成するものである。
【００１４】
２６は第２集合部１５内の捕集手段１８と第１排気路１７を介して連通すると共に、第
２集合部１５の捕集手段１８外周と第２排気路２７を介して連通したダンパー室で、反対側下方には燃焼ガスの流通で中を通る温水を加熱する補助熱交換器を構成する温水熱交換器２８を収納した温水熱交換室２９が連通し、下方には屋外に突出する排気管３０が連通している。
【００１５】
前記ダンパー室２６内は４室に区画され、第２排気路２７と連通した第１室３１には、下方で温水熱交換室２９の入口３２を有した第２室３３とを結ぶ第１開口３４を開閉する第１ダンパー３５が備えられ、この第１開口３４は前記温水熱交換室２９の入口側を構成し、入口３２を間接的に開閉するものであり、又第１排気路１７と連通した第３室３６の下方で、温水熱交換室２９の出口側３７及び排気管３０を有した第４室３８には、前記第３室３６と第４室３８とを結ぶ第２開口３９と温水熱交換室２９の出口側３７とを交互に開閉する第２ダンパー４０が備えられ、この第１、第２ダンパー３５、４０の２つでダンパー装置を構成するものである。
【００１６】
４１は第１ダンパー３５及び第２ダンパー４０を同時に駆動させるアクチエーター等から成る駆動手段で、第１ダンパー３５及び第２ダンパー４０を固定した１本の駆動ロット４２と、この駆動ロット４２と駆動手段４１とはクランク機構４３を介して連結されている。
【００１７】
４４は温水補給用のシスターンタンク４５を介して温水熱交換器２８と連通した循環ポンプで、温水熱交換器２８で高温に加熱された温水を床暖房用の放熱器（図示せず）に循環させ、放熱させた後の低温水を再び温水熱交換器２８に循環させて再加熱して、順次循環させ温水暖房をストーブによる暖房と併用して行うものである。
【００１８】
次にこの発明一実施形態の作動について説明する。
先ずストーブ単独運転では、図７、８に示す如く、第１ダンパー３５で温水熱交換室２９の入口側を構成する第１開口３４を遮断することで、温水熱交換室２９の入口３２が間接的に閉められ第２排気路２７の流通及びバイパス路２５の流通を止めると共に、第２ダンパー４０は第２開口３９を開放し温水熱交換室２９の出口側３７を遮断することで、第１排気路１７を排気管３０に連通させる。
【００１９】
この状態でバーナ部１を燃焼開始させれば、発生した燃焼ガスは燃焼筒３内を上昇して赤熱体４を赤熱状態にし、この赤熱状態を反射板６で反射させて輻射暖房及び対流ファン１９を用いた温風暖房を行うものである。
【００２０】
その後、分岐室７に流入した燃焼ガスは、バイパス路２５が第１ダンパー３５で遮断されているので、第１流出口１１から熱交換器１３内の熱交パイプ１６を流通して、外方の空気と熱交換し対流ファン１９を用いて暖かい空気の対流で室内の暖房を行い、ダンパー室２６より排気管３０を介して排出される。
【００２１】
この時、燃焼ガスは熱交パイプ１６から捕集手段１８内に流通するが、熱交パイプ１６端部が固着している熱交側板２０と当接する捕集手段１８の一端には、フランジ部２２が形成されているので、強固であり熱による変形が防止されて、燃焼ガスの漏れを確実に阻止出来るものであり、又捕集手段１８の他端の接続筒２３は円筒状であり、強度的にも強く排気側板２１との間に隙間が出来てここから燃焼ガスが漏れる心配もなく、溶接による固定でなく挟み込んでの固定でも、燃焼ガスの漏れの心配はないものである。
【００２２】
次にストーブと床暖房等の温水暖房の併用運転では、図５、６に示す如く、第１ダンパー３５で第１開口３４を開成することで、温水熱交換室２９の入口３２を開口し第２排気路２７を連通すると共に、第２ダンパー４０で温水熱交換室２９の出口３７を開口し排気管３０を連通する。
【００２３】
この時温水熱交換器２８は、温水熱交換室２９の入口３２から出口３７の間を流通する燃焼ガスと熱交換させれば、内方の温水が温度上昇され高温水となって循環ポンプ４４の駆動で床暖房用の放熱器等に循環され、輻射暖房と共に床暖房による暖房も合わせて行われるものである。
【００２４】
このように燃焼ガスの流路を切り替えることで、種類の違う暖房が行えるものであるが、これと同時に熱交換器１３の第２集合部１５内では、燃焼ガスの流路の切り替え及び、対流ファン１９の駆動と駆動停止によって、第２集合部１５と捕集手段１８との間で温度差が発生し、熱膨張及び収縮が行われても、第２集合部１５と捕集手段１８とは連結されておらず、フリー状態であるので、「カン、カン」と言う異音の発生を防止出来、違和感を持つことなく常に安心して使用出来るものである。
【図面の簡単な説明】
【００２５】
【図１】この発明の一実施形態を付した床暖房内蔵温風暖房器の概略断面図。
【図２】同要部の水平断面図。
【図３】同捕集手段の説明図。
【図４】同捕集手段の正面図。
【図５】同ダンパー室の第１室と第２室で併用運転状態を示す説明図。
【図６】同ダンパー室の第３室と第４室で併用運転状態を示す説明図。
【図７】同ダンパー室の第１室と第２室で暖房器単独運転状態を示す説明図。
【図８】同ダンパー室の第３室と第４室で暖房器単独運転状態を示す説明図。
【図９】同ダンパー室の分解斜視図
【符号の説明】
【００２６】
１  バーナ部
１３  熱交換器
１４  第１集合部
１５  第２集合部
１６  熱交パイプ
１７  第１排気路
１８  捕集手段
２０  熱交側板
２１  排気側板
２２  フランジ部
２３  接続筒
２５  バイパス路
２７  第２排気路
２８  温水熱交換器（補助熱交換器）
【図１】
2005265334.tif 000003
【図２】
2005265334.tif 000004
【図３】
2005265334.tif 000005
【図４】
2005265334.tif 000006
【図５】
2005265334.tif 000007
【図６】
2005265334.tif 000008
【図７】
2005265334.tif 000009
【図８】
2005265334.tif 000010
【図９】
2005265334.tif 000011